(57)【特許請求の範囲】
【請求項１】
放電部より荷電粒子を髪表面に放出して髪の手入れを行う髪ケア装置において、
一端側が回動自在に連結された対をなす挟持体を備え、各々の挟持体が略筒状をしたハウジングを有し、
一方の挟持体のハウジング内に放電部を備えると共に、この放電部に対応する挟持体の側壁に、放電部での放電を外側より視認するためのレンズを設け、且つ放電部を照射する照明手段を備えて成ることを特徴とする髪ケア装置。
【請求項２】
レンズがハウジングと別部材であることを特徴とする請求項１記載の髪ケア装置。
【発明の詳細な説明】
【技術分野】
【０００１】
本発明は、放電部より荷電粒子を髪表面に放出して髪の手入れを行う髪ケア装置に関するものである。
【背景技術】
【０００２】
従来より、放電部より荷電粒子（マイナス空気イオン・プラス空気イオン）を髪表面に放出して髪の手入れ（ケア）を行う髪ケア装置が知られている（例えば特許文献１参照）。
【０００３】
特許文献１に示されるものは、図８に示すように、ハウジング１０の内部に空気流路１１が形成され、空気流路１１には上流側よりファン１４及びファン１４を駆動するモータ（図示せず），ヒータ１５が配設してある。
【０００４】
ハウジング１０の上部にはイオン流路４が設けてあると共にイオン流路４に放電電極を有する放電部２を備えている。そして、放電部２で生成された荷電粒子がイオン吐出口４１から吐出されるものである。
【特許文献１】特開２００２−１９１４２６号公報
【発明の開示】
【発明が解決しようとする課題】
【０００５】
ところが、上記従来の髪ケア装置にあっては、ハウジング１０内に放電部２を収容しているため、使用者がハウジング１０外から見ただけでは放電部２での放電の状態が視認できず、放電部２の掃除の時期の判断が難しいものであった。
【０００６】
本発明は上記従来の問題点に鑑みて発明したものであって、その目的とするところは、ハウジングの外側から放電部での放電の状態を視認することができる髪ケア装置を提供することを課題とするものである。
【課題を解決するための手段】
【０００７】
上記課題を解決するために請求項１に係る発明にあっては、放電部２より荷電粒子を髪表面に放出して髪の手入れを行う髪ケア装置１において、一端側が回動自在に連結された対をなす挟持体７を備え、各々の挟持体７が略筒状をしたハウジング１０を有し、一方の挟持体７のハウジング１０内に放電部２を備えると共に、この放電部２に対応する挟持体７の側壁に、放電部２での放電を外側より視認するためのレンズ３を設け、且つ放電部２を照射する照明手段５を備えて成ることを特徴とするものである。
【０００８】
このような構成とすることで、レンズ３を通してハウジング１０の外側から放電部２での放電の状態を視認することが可能となる。
【００１０】
また、荷電粒子の吐出口を塞ぐことなくレンズ３を設けることが可能となり、且つ放電部２を照射して視認し易くなる。
【００１２】
このような構成とすることで、レンズ３を通してハウジング１０の外側から放電部２での放電の状態を視認することが可能となる。
【００１３】
また、請求項２に係る発明は、レンズ３がハウジング１０と別部材であることを特徴とするものである。
【００１４】
このような構成とすることで、ハウジング１０の構造上の制約が少なくなり、レンズ３の配置の自由度が増すもので、使用者にとって視認し易い位置にレンズ３を配置することが可能となる。
【発明の効果】
【００１７】
本発明にあっては、放電部での放電を外側より視認するためのレンズを設けたことで、レンズを通してハウジングの外側から放電部での放電の状態を視認することが可能となって、放電部の掃除の時期の判断を的確に行えて、放電の効果を長期的に確実に得ることができるものである。
【発明を実施するための最良の形態】
【００１８】
以下、本発明の一実施形態について図１乃至図４に基づいて説明する。本実施形態における髪ケア装置１はヘアードライヤー１Ａであって、図１に示すように、機器が収納されるハウジング１０にて本体部が形成される。
【００１９】
ハウジング１０は、内部に空気流路１１が形成される略筒状をしたもので、下流側の側端部には空気を吐出する空気吐出口１２が形成されると共に、上流側の上壁部には空気を吸入する空気吸込口１３が形成してある。
【００２０】
ハウジング１０の内部には、空気流路１１のうち、空気吸込口１３より空気吐出口１２に至る空気流路１１本体が形成されてある。空気流路１１本体には、上流側よりファン１４及びファン１４を駆動するモータ（図示せず），ヒータ１５が配設してある。ファン１４は、ファン１４の上方に位置するようにハウジング１０に設けてある上記空気吸込口１３より空気を空気流路１１内に取り込んで、側方の空気流路１１下流側に空気を送る、ファン１４の内部空間に収納配置されたモータによって駆動されるもので、ファン１４より下流側に配設されるヒータ１５は、ファン１４より送られてきた空気を加温するものである。
【００２１】
また、ハウジング１０の上流側の下壁部にはハンドル部１６が下方に向けて突設してある。ハンドル部１６は大略筒状をしており、ハウジング１０の上流側の下壁部より下方に向けてハウジング１０と一体に突設してある。ハンドル部１６の内部には、上記モータやヒータ１５の電源スイッチ１７が設けてある。
【００２２】
さらに、ハウジング１０の上部にはイオン流路４が設けてある。イオン流路４は、略半筒状のイオン流路外殻４０をハウジング１０の上壁部の上外面にハウジング１０と一体的に設けて、このイオン流路外殻４０の内部に形成される空間をイオン流路４とするもので、下流側の側端開口は後述するマイナスイオンが吐出されるイオン吐出口４１としてある。イオン流路４は、ハウジング１０の内部に形成された空気流路１１とは別の流路として設けるものであるが、この時、図１に示すように、空気流路１１を流れる空気がイオン流路４の上流側へ流入可能とする流入経路４２をハウジング１０の上壁部に形成してもよく、また、図示はしないが、イオン吐出口４１が空気吐出口４１近傍に位置するようにイオン流路４を設けるようにしてもよいものである。そして、イオン流路４には、マイナスイオンを発生するイオン発生部が設けてあると共に、ハウジング１０には、イオン発生部でのマイナスイオンの発生と発生停止とを切り替えるイオンスイッチ（図示せず）、及び、イオン発生部でのマイナスイオンの発生を視認するためのレンズ３（後述する）が設けてある。
【００２３】
イオン発生部は、放電部２と高電圧発生部（図示せず）と、これらを電気的に接続するリード線（図示せず）とで構成されるもので、放電部２は、放電電極２１とグランド電極（図示せず）と、これらを収納保持する絶縁体で形成したケーシング２０とからなる。放電電極２１の先端とグランド電極（図示せず）とは隙間を介して配置すると共に、これら放電電極２１とグランド電極（図示せず）はそれぞれリード線で高電圧発生部に接続されている。
【００２４】
イオン発生部の放電部より荷電粒子（マイナス空気イオン・プラス空気イオン）を髪表面に放出することで、髪をしっとり、さらさらにすることができる。
【００２５】
そして、本発明においては、放電部２での放電を外側より視認するためのレンズ３を設けるものである。レンズ３は、図１に示す例ではハウジング１０のイオン流路外殻４０の側壁に設けてあり、図２に示す例ではハウジング１０の空気流路１１内に放電部２を設置し、放電部２に対応するハウジング１０の側壁にレンズ３を設けてある。またレンズ３は、図１に示すようにハウジング１０と一体で設けるか、図３に示すようにハウジング１０とは別部材で設けてもよい。レンズ３とハウジング１０とを別部材とすることで、ハウジング１０の構造上の制約が少なくなり、レンズ３の配置の自由度が増すもので、使用者にとって視認し易い位置にレンズ３を配置することが可能となる。
【００２６】
放電部２に埃等が付着すると、リーク発生等により正常に放電が行われなくなるが、以上のような放電部２での放電を外側より視認するためのレンズ３を設けたことで、レンズ３を通してハウジング１０の外側から放電電極１での放電の状態を拡大して視認することが可能となって、放電部２に付着した埃等の掃除の時期の判断を的確に行えて、放電の効果を長期的に確実に得ることができるものである。
【００２７】
また、図４に示すように、放電部２を照射する照明手段５を備えることで、放電部２を照射して視認し易くなるものである。
【００２８】
次に、本発明の他の実施形態について図５に基づいて説明する。本実施形態における髪ケア装置１はブラシ付きのヘアードライヤー１Ｂであって、図５に示すように、機器が収納されるハウジング１０にて本体部が形成される。なお、上実施形態と同じ構成については同符号を付して説明を省略する。
【００２９】
本実施形態におけるブラシ付きのヘアードライヤー１Ｂは、ハウジング１０と該ハウジング１０に着脱自在に取付けられるアタッチメント６とからなるものである。なお、ブラシ付きのヘアードライヤーは１Ｂとしては、本実施形態のように別体のハウジング１０とアタッチメント６とで外殻が構成されるものの他に、外殻が一体のハウジング１０で形成されるものでもよい。
【００３０】
ハウジング１０は、内部に空気流路１１が形成される略筒状をしたもので、上流側端部には空気を吸入する空気吸込口１３が形成してある。ハウジング１０内の空気流路１１には、上流側（即ち空気吸込口１３側）よりファン１４，モータ，ヒータ１５が配設してあり、モータを駆動させてファン１４を回転させ、空気吸込口１３より空気を取り入れて下流側に送風するものである。また、ハウジング１０の下流側端部には、アタッチメント６が着脱自在に取付けられる取着部が形成してある。また、ハウジング１０の下流側端部近傍の側壁（本実施形態では対向する両側壁）にイオン流路４が設けてあると共に、イオン流路４に放電部２の放電電極２１が設けてある。
【００３１】
アタッチメント６は、内部に空気経路が形成される略筒状をしたもので、上流側端部には、ハウジング１０の取着部に取付けられる被取着部が設けてある。そして、下流側端部の空気吐出口１２には、ブリスル６１を設けたブラシ部が取付けられている。
【００３２】
そして、放電部２に対応するハウジング１０の側壁にレンズ３を設けてある。
【００３３】
以上のような構成とすることで、レンズ３を通してハウジング１０の外側から放電電極１での放電の状態を拡大して視認することが可能となって、放電部２に付着した埃等の掃除の時期の判断を的確に行えて、放電の効果を長期的に確実に得ることができるものである。
【００３４】
次に、本発明の更に他の実施形態について図６に基づいて説明する。本実施形態における髪ケア装置１はヘアーアイロン１Ｃである。なお、上実施形態と同じ構成については同符号を付して説明を省略する。
【００３５】
本実施形態におけるヘアーアイロン１Ｃは、対をなす挟持体７で髪を挟むもので、挟持体７は一端側を回動自在に連結し、対向して当接する面にアイロン板７１備え、アイロン板７１を加熱するヒータ１５と、イオン発生部としての放電電極２１を有する放電部２を備えている。また、挟持体７内には、放電部に高電圧を印加する高圧発生装置７２を備えると共に、挟持体７の側壁には、放電部２で発生した荷電粒子を挟持体７外に吐出するイオン吐出口４１が形成してあると共に、放電部２に対応する挟持体７の側壁にレンズ３を設けてある。
【００３６】
以上のような構成とすることで、レンズ３を通してハウジング１０の外側から放電電極１での放電の状態を拡大して視認することが可能となって、放電部２に付着した埃等の掃除の時期の判断を的確に行えて、放電の効果を長期的に確実に得ることができるものである。
【００３７】
次に、本発明の更に他の実施形態について図７に基づいて説明する。本実施形態における髪ケア装置１はブラシ付きのヘアードライヤー１Ｄであって、図７に示すように、機器が収納されるハウジング１０にて本体部が形成される。なお、上実施形態と同じ構成については同符号を付して説明を省略する。
【００３８】
ハウジング１０は、内部に空気流路１１が形成される略筒状をしたもので、上流側端部には空気を吸入する空気吸込口１３が形成してある。ハウジング１０内の空気流路１１には、上流側（即ち空気吸込口１３側）よりファン，モータ，ヒータが配設してあり、モータを駆動させてファンを回転させ、空気吸込口１３より空気を取り入れて下流側に送風するものである。また、ハウジング１０の下流側端部近傍の側壁（本実施形態では対向する両側壁）に、空気吐出口１２が設けてあると共に、空気吐出口１２の中央部にイオン流路４及びイオン吐出口４１が設けてあり、イオン流路４の内部に放電部２の放電電極２１が設けてある。そして、放電部２に対応するハウジング１０の側壁（本実施形態では空気吐出口１２の中央部）にレンズ３を設けてある。空気吐出口１２にはブリスル６１が設けてある。
【００３９】
以上のような構成とすることで、レンズ３を通してハウジング１０の外側から放電電極１での放電の状態を拡大して視認することが可能となって、放電部２に付着した埃等の掃除の時期の判断を的確に行えて、放電の効果を長期的に確実に得ることができるものである。
【００４０】
なお、本発明においては、イオン発生部に代えて放電極を備える静電霧化装置を用いてもよい。静電霧化装置は、特に図示しないが、放電極および該放電極に対向配置した対向電極と、放電極に水を供給する水供給手段と、放電極と対向電極との間に高電圧を印加する電圧印加手段とを備え、電圧印加手段にて放電極と対向電極との間に高電圧を印加することで放電極に供給した水を静電霧化するものである。静電霧化は、高電圧の印加によって放電極側が負電極となって電荷が集中するとともに放電極の表面に付着した水が円錐形状に盛り上がってテイラーコーンが形成され、このテイラーコーンの先端に電荷が集中して高密度となってこの高密度の電荷の反発力ではじけるようにして水が分裂・飛散するレイリー分裂を繰り返すことで行われる。この時、テイラーコーンの形成は放電極の表面の濡れ性に影響されるもので、濡れ性が小さいと所定のテイラーコーンが形成されず静電霧化される量が確保できないため、放電極の表面の濡れ性を所定確保する必要がある。
【００４１】
水供給手段はとしては、水タンクから放電極の先端に水を供給するもの、ペルチエ素子からなる冷却手段を用いるもの等が挙げられる。ペルチエ素子からなる冷却手段を用いる場合、冷却手段にて放電極を冷却させて空気中の水分（湿気）を放電極の先端部の表面に結露させることで水を供給するものである。ペルチエ素子の放電極側の端部が冷却部、その反対側の端部が放熱部となっており、冷却部は放電極に熱的に接続してあるとともに、放熱部は放熱フィンに熱的に接続してある。
【００４２】
静電霧化は、上述したように電圧印加手段にて高電圧を印加して放電極の先端部に結露した水を静電霧化し、帯電粒子としての帯電微粒子水を生成させるものである。
【００４３】
このような静電霧化装置を用いることでも、帯電微粒子水を髪表面に放出することができて、髪をしっとり、さらさらにすることができる。
【図面の簡単な説明】
【００４４】
【図１】本発明の髪ケア装置の一実施形態を示し、（ａ）は側断面図であり、（ｂ）は要部（放電部）拡大断面図である。
【図２】同上の他例を示し、（ａ）は側断面図であり、（ｂ）は要部（放電部）拡大断面図である。実施形態を示し、（ａ）は側断面図であり、（ｂ）は要部（放電部）拡大断面図である。
【図３】同上の更に他例の拡大断面図である。
【図４】同上の更に他例の拡大断面図である。
【図５】本発明の他の実施形態を示し、（ａ）は側面図であり、（ｂ）はハウジングの側断面図であり、（ｃ）はハウジングを（ｂ）と直交する方向で切断した断面図である。
【図６】本発明の更に他の実施形態を示し、（ａ）は斜視図であり、（ｂ）は側面図であり、（ｃ）は側断面図である。
【図７】本発明の更に他の実施形態を示し、（ａ）は側断面図であり、（ｂ）は正面図である。
【図８】従来例の断面図である。
【符号の説明】
【００４５】
１    髪ケア装置
１Ａ  ヘアードライヤー
１Ｂ  ブラシ付きのヘアードライヤー
１Ｃ  ヘアーアイロン
１Ｄ  ブラシ付きのヘアードライヤー
１０  ハウジング
１１  空気流路
１２  空気吐出口
１３  空気吸込口
１４  ファン
１５  ヒータ
１６  ハンドル部
１７  電源スイッチ
２    放電部
２１  放電電極
２０  ケーシング
３    レンズ
４    イオン流路
４０  イオン流路外殻
４１  イオン吐出口
４２  流入経路
【図１】
0005080964.tif 000002
【図２】
0005080964.tif 000003
【図３】
0005080964.tif 000004
【図４】
0005080964.tif 000005
【図５】
0005080964.tif 000006
【図６】
0005080964.tif 000007
【図７】
0005080964.tif 000008
【図８】
0005080964.tif 000009